(57)【要約】【課題】圏外時の消費電力を抑えた周波数ホッピング方式の無線電話装置の提供を目的とする。【解決手段】親機からの電波の届く範囲から外れたことを検出する圏外検出部１２と、圏外検出部１２による検出の結果、親機からの電波の届く範囲から外れた状態がタイマー監視部１３により監視する所定時間が継続した場合に親機の検索を中止するとともに、操作部６によるキー入力処理の発生をトリガーとして親機の検索を再開する制御部１１とを備える。これにより、圏外時に親機の検索に要する消費電力を減少させることができるとともに、必要時には所定の処理の発生をトリガーとして親機の検索を再開し、通信可能状態へと復帰させることができる。【選択図】  図１
2004343608.tif 000002
【特許請求の範囲】
【請求項１】
親局との通信を周波数ホッピングにより行う無線電話装置であって、
前記親局からの電波の届く範囲から外れたことを検出する圏外検出部と、
同圏外検出部による検出の結果、前記親局からの電波の届く範囲から外れた状態が所定時間継続した場合に前記親局の検索を中止するとともに、所定の処理の発生をトリガーとして前記親局の検索を再開する制御部と
を備えた無線電話装置。
【請求項２】
前記トリガーとする所定の処理が、キー入力である請求項１記載の無線電話装置。
【請求項３】
前記トリガーとする所定の処理が、充電開始である請求項１記載の無線電話装置。
【発明の詳細な説明】
【０００１】
【発明の属する技術分野】
本発明は、親局との通信を周波数ホッピングにより行う無線電話装置に関する。
【０００２】
【従来の技術】
２．４ＧＨｚ帯（２．４００ＧＨｚ〜２．４８３ＧＨｚ）の電波は、アマチュア無線、電子レンジや各種医療機器などの様々な機器に使われている。このため、２．４ＧＨｚ帯の電波を無線電話装置に使用する際には、スペクトラム拡散（Ｓｐｒｅａｄ  Ｓｐｅｃｔｒｕｍ：ＳＳ）を使った通信方式の一つである周波数ホッピング方式（Ｆｒｅｑｕｅｎｃｙ  Ｈｏｐｐｉｎｇ：ＦＨ）が利用される（例えば、非特許文献１を参照。）。
【０００３】
周波数ホッピング方式は、極めて短い、ある一定の周期（１０ｍｓ程度が多い）で、搬送波の周波数を切り替えて（ホッピングして）、通信を行うというものである。周波数ホッピング方式では、次々に送信周波数を変更していくため、特定周波数でノイズが発生した場合も他の周波数で通信したデータによって訂正が可能で、ノイズの少ない周波数を選択して送信することもできる。
【０００４】
ところで、このような周波数ホッピング方式を用いた無線電話装置では、親局（親機）からの電波の届く範囲から外れてしまった時（圏外時）に、無線電話装置（子機）が位置登録のために親機を探す、いわゆるオープンサーチを行う。ところが、親機の電源オフなどでリンクできない状態が継続すると子機は延々と親機を探し続ける。周波数ホッピング方式で検索した場合、１回の検索で、分割した周波数分の検索を行うため、オープンサーチ状態を頻繁に継続すると、子機の電池を大量に消費して使用可能時間に大きく影響する。
【０００５】
なお、周波数ホッピング方式でないＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）などの無線電話装置においても、圏外時には親局を検索し、位置登録を行うため、親局を検索できない状態が続くと電池の消費が問題となる。この問題を解決する技術として、例えば特許文献１には、圏外時の検索周期を徐々に長くすることにより、電池の消費電力を減少させることが記載されている。
【０００６】
【特許文献１】
特開２０００−６９５５２号公報
【非特許文献１】
“２．４ＧＨｚ帯周波数ホッピングスペクトラム拡散技術（２．４ＧＨｚ  Ｆｒｅｑｕｅｎｃｙ−Ｈｏｐｐｉｎｇ  Ｓｐｒｅａｄ  Ｓｐｅｃｔｒｕｍ（ＦＨＳＳ）  Ｔｅｃｈｎｏｌｏｇｙ）”，［ｏｎｌｉｎｅ］，［平成１５年４月１７日検索］，インターネット＜ＵＲＬ：ｈｔｔｐ：／／ｗｗｗ．ｐａｎａｓｏｎｉｃ．ｃｏｍ／ｃｏｎｓｕｍｅｒ＿ｅｌｅｃｔｒｏｎｉｃｓ／ｔｅｌｅｐｈｏｎｅｓ／ｍｕｌｔｉｔａｌｋ＿ｐｈｏｎｅｓ．ａｓｐ２４＞
【０００７】
【発明が解決しようとする課題】
特許文献１に記載の技術は、周波数ホッピング方式でないＰＤＣやＰＨＳなどの無線電話装置に対しては有効であるが、周波数ホッピング方式の無線電話装置に対しては有効でない。
【０００８】
周波数ホッピング方式でない無線電話装置の場合、１回の検索時間は数１００ｍｓ程度で済むため、検索周期を徐々に長くすることで効果的に消費電力を減少させることが可能である。ところが、周波数ホッピング方式の無線電話装置では、１回のオープンサーチ状態での検索時間が約１１秒前後と長いため、検索周期を長くしてもオープンサーチ状態での消費電力が大きく、効果的に消費電力を減少させることができない。
【０００９】
そこで、本発明においては、オープンサーチ状態を制御することによって、圏外時の消費電力を抑えた周波数ホッピング方式の無線電話装置を提供することを目的とする。
【００１０】
【課題を解決するための手段】
上記課題を解決するため本発明の無線電話装置は、親局からの電波の届く範囲から外れたことを検出する圏外検出部と、圏外検出部による検出の結果、親局からの電波の届く範囲から外れた状態が所定時間継続した場合に親局の検索を中止するとともに、所定の処理の発生をトリガーとして親局の検索を再開する制御部とを備えたものである。
【００１１】
本発明によれば、オープンサーチ状態を制御して、圏外時の消費電力を抑えた周波数ホッピング方式の無線電話装置が得られる。
【００１２】
【発明の実施の形態】
請求項１に記載の発明は、親局との通信を周波数ホッピングにより行う無線電話装置であって、前記親局からの電波の届く範囲から外れたことを検出する圏外検出部と、同圏外検出部による検出の結果、前記親局からの電波の届く範囲から外れた状態が所定時間継続した場合に前記親局の検索を中止するとともに、所定の処理の発生をトリガーとして前記親局の検索を再開する制御部とを備えた無線電話装置であり、親局からの電波の届く範囲から外れたことを検出し、この親局からの電波の届く範囲から外れた状態が所定時間継続した場合に親局の検索を中止することにより、圏外時に親局の検索に要する消費電力を減少させることができるとともに、必要時には所定の処理の発生をトリガーとして親局の検索を再開し、通信可能状態へと復帰させることができるという作用を有する。
【００１３】
請求項２に記載の発明は、前記トリガーとする所定の処理が、キー入力である請求項１記載の無線電話装置であり、請求項１に記載の発明による作用に加え、必要時にはキー入力を行うことによって任意に親局の検索を再開させ、通信可能状態へと復帰させることができるという作用を有する。
【００１４】
請求項３に記載の発明は、前記トリガーとする所定の処理が、充電開始である請求項１記載の無線電話装置であり、請求項１に記載の発明による作用に加え、充電開始によって消費電力が問題とならなくなった場合に親局の検索を再開させ、通信可能状態へと復帰させることができるという作用を有する。
【００１５】
以下、本発明の実施の形態について、図面を参照して説明する。
【００１６】
図１は本発明の一実施の形態における無線電話装置のブロック図である。
【００１７】
本発明の実施の形態における無線電話装置は、２．４ＧＨｚ帯の電波を用いて親局としての親機（図示せず。）と周波数ホッピング方式により通信を行う子機である。図１において、この無線電話装置は、各部を制御する制御部１、送信回路および受信回路等を含む無線部２、電源回路からなる電源部３、および、電源部３に電力を供給する電源としての蓄電池４を備える。
【００１８】
また、図１の無線電話装置は、サービス圏内外、受信電界強度、発着電話番号や電池残量等の種々の情報を表示する表示部５、ダイヤル情報の入力や発着呼の操作を行うダイヤルキーおよびトークキーなどを有する操作部６、送話部７、受話部８およびスピーカー部９を備える。
【００１９】
制御部１は、その中枢部がマイクロコンピュータからなる主制御回路部１１およびメモリ（図示せず。）により構成されている。また、制御部１は、親機からの電波の届く範囲から外れたこと、すなわち圏外の状態であることを検出する圏外検出部１２と、所定時間の経過を監視するタイマー監視部１３と、送話部７、受話部８およびスピーカー部９を制御する音声制御部１４とを有している。
【００２０】
上記構成の無線電話装置は、以下のように親機との通信を行う。
【００２１】
図２は図１の無線電話装置による親機との通信処理のフローチャートである。
【００２２】
ステップＳ１０において、まず無線電話装置に電源が投入（パワーオン）されると、ステップＳ１１において、主制御回路部１１は、タイマー監視部１３により監視する経過時間の設定を行う。そして、電源投入時にはまだ親機との同期が確立されていない（圏外検出部１２による検出結果が“圏外”である状態）ため、ステップＳ１２において、主制御回路部１１は、親機の検索（サーチ）を開始する。
【００２３】
ここで、ステップＳ１３において、親機との同期が確立されると、主制御回路部１１は待ち受け状態に入る（ステップＳ１４）。ステップＳ１３において、親機との同期が確立されない場合、ステップＳ１５において、主制御回路部１１は、タイマー監視部１３による監視結果に基づいて、所定時間が経過するまで次のステップＳ１６からステップＳ１２，Ｓ１３，Ｓ１５の処理を繰り返す。
【００２４】
ステップＳ１５において、所定時間が経過すると、主制御回路部１１は、“圏外”状態が所定時間継続したと判断し、ステップＳ１７において“サーチ終了”と表示部５へ表示するとともに、親機のサーチを中止する。そして、主制御回路部１１は、ステップＳ１８において、操作部６によるキー入力がなされるまでこの表示部５への表示を継続する。ステップＳ１８において、操作部６によるキー入力がなされると、主制御回路部１１はステップＳ１１の処理へ戻る。
【００２５】
一方、ステップＳ１６では、主制御回路部１１は、再サーチ時間の経過を監視することにより、次のサーチ開始までの間隔（インターバル）を調整する。このとき、ステップＳ１９において、操作部６によるキー入力がなされると、主制御回路部１１は、ステップＳ１１の処理へ戻る。
【００２６】
以上のように、本実施の形態における無線電話装置では、親機からの電波の届く範囲から外れたことを検出し、この“圏外”状態が所定時間継続した場合に親機の検索を中止することにより、圏外時に親機の検索に要する蓄電池４の消費電力を減少させることができる。また、必要時には操作部６によるキー入力という所定の処理の発生をトリガーとして任意に親機の検索を再開し、通信可能状態へと復帰させることができる。これにより、圏外時の消費電力を抑えることができる。
【００２７】
なお、本実施の形態においては、親機の検索を再開するトリガーとして操作部６によるキー入力を採用した例について説明したが、蓄電池４の充電開始と充電台からのピックアップをトリガーとすることも可能である。この場合、蓄電池４の充電開始によって消費電力が問題とならなくなるため、この場合にはすぐに親局の検索を再開させ、常時通信可能状態とすることができる。
【００２８】
【発明の効果】
本発明により、以下の効果を奏することができる。
【００２９】
（１）請求項１に記載の発明によれば、圏外時の消費電力を抑えた周波数ホッピング方式の無線電話装置が得られる。
【００３０】
（２）請求項２に記載の発明によれば、圏外時の消費電力抑えたうえで、必要時にはキー入力を行うことによって任意に通信可能状態へと復帰させることが可能な周波数ホッピング方式の無線電話装置が得られる。
【００３１】
（３）請求項３に記載の発明によれば、圏外時の消費電力抑えたうえで、充電開始によって消費電力が問題とならなくなった場合には、常時通信可能状態とすることができる周波数ホッピング方式の無線電話装置が得られる。
【図面の簡単な説明】
【図１】本発明の一実施の形態における無線電話装置のブロック図
【図２】図１の無線電話装置による親機との通信処理のフローチャート
【符号の説明】
１  制御部
２  無線部
３  電源部
４  蓄電池
５  表示部
６  操作部
７  送話部
８  受話部
９  スピーカー部
１１  主制御回路部
１２  圏外検出部
１３  タイマー監視部
１４  音声制御部
【図１】
2004343608.tif 000003
【図２】
2004343608.tif 000004